(57)【特許請求の範囲】
【請求項１】
側端部に係合板を配設した間仕切パネルと、両側面に係合溝を形成した係合用パネルジョイントとを設け、係合用パネルジョイントの係合溝と係合板を係合自在とするとともに、間仕切パネルを係合用パネルジョイントに連結軸を介して回動自在とすることにより、隣接する間仕切パネルを所定角度で回動自在としたことを特徴とする間仕切パネルの連結構造。
【請求項２】
前記係合板は、一側面に指掛片を有し、常時弾力付勢されていることを特徴とする請求項１に記載の間仕切パネルの連結構造。
【請求項３】
間仕切パネルの側面は、前記連結軸の軸心を中心として間仕切パネルの板厚の略１／２の曲率半径を有する円弧状曲面であることを特徴とする請求項１又は２に記載の間仕切パネルの連結構造。
【請求項４】
隣接する間仕切パネルにおいて、係合板の指掛片を互いに反対の表面に位置するように配設したことを特徴とする請求項１乃至３に記載の間仕切パネルの連結構造。
【発明の詳細な説明】
【０００１】
【発明の属する技術の分野】
本発明は、間仕切壁を構成する間仕切パネル同士を回動自在に連結する間仕切パネルの連結構造に関する。
【０００２】
【従来の技術】
従来より、簡易に室内空間を間仕切るものとして、間仕切パネル同士を回動自在に連結して間仕切壁を構成するものが知られている。
図１０に示す間仕切壁１００は、間仕切パネル１０１，１０１の側端部１０２，１０２に断面円形状の連結溝１０３，１０３を形成し、連結材１０４の円柱状の嵌合部１０５，１０５を連結溝１０３，１０３に嵌合することにより、間仕切パネル１０１，１０１同士を回動自在に連結している（特開平９- １９５４２５号公報参照）。又、連結溝１０３の内周面に形成した係合凹部１０６，・・・に嵌合部１０５の外周面に形成した係合凸部１０７，・・・を係合することにより、間仕切パネル１０１，１０１を所定角度に設定できるようにしてある。
【０００３】
【発明が解決しようとする課題】
しかし、上記間仕切壁１００では、連結溝１０３の開口部１０８は狭幅としてあり、連結材１０４の結合部１０９が開口部１０８の内壁面に当接してしまうため、間仕切パネル１０１の回動角度は小さく、間仕切パネル１０１，１０１を直角に設定したり、パネル表面１１０，１１０同士を当接して折り畳むことはできなかった。
よって、間仕切パネル１０１，１０１を種々角度に設定して室内空間を適宜形状に間仕切ることはできず、又、間仕切パネル１０１，１０１を折り畳んでコンパクトに収納することもできなかった。
【０００４】
本発明は、かかる従来における問題点を解決すべく為されたものであり、その目的とするところは、間仕切パネルを種々角度に設定して室内空間を適宜形状に間仕切ることができ、又、間仕切パネルを折り畳んでコンパクトに収納することもできる間仕切パネルの連結構造を提供することにある。
【０００５】
【課題を解決するための手段】
上記目的を達成するべく、本発明の間仕切パネルの連結構造は、側端部に係合板を配設した間仕切パネルと、両側面に係合溝を形成した係合用パネルジョイントとを設け、係合用パネルジョイントの係合溝と係合板を係合自在とするとともに、間仕切パネルを係合用パネルジョイントに連結軸を介して回動自在とすることにより、隣接する間仕切パネルを所定角度で回動自在としたことを特徴とする。
【０００６】
ここで、前記係合板は、一側面に指掛片を有し、常時弾力付勢されているものを用いれば、付勢弾力により係合用ジョイントパネルと係合板が確実に係合されるとともに、指掛片を押圧することにより、係合板をスライドさせることできるので、係合状態を解除することも容易となる。
【０００７】
又、間仕切パネルの側面を前記連結軸の軸心を中心として間仕切パネルの板厚の略１／２の曲率半径を有する円弧状曲面とすれば、間仕切パネルとパネルジョイントとが当接することなく、間仕切パネル間のなす角度を０〜３６０°に渡って設定することができる。
【０００８】
更に、隣接する間仕切パネルにおいて、係合板の指掛片を互いに反対の表面に位置するように配設すれば、隣接する間仕切パネル同士のなす角度を０°又は３６０°に折り畳む際に、いずれの角度の方向にも折り畳むことが容易となる。
【０００９】
【発明の実施の形態】
以下、本発明の間仕切パネルの連結構造の実施例について図面を参照して説明する。
図１は本発明の間仕切パネルの連結構造を用いた間仕切壁の側面図、図２は間仕切パネルの連結構造を示す側面図、図３は図２の間仕切パネルのIII−III線断面図、図４は図２の間仕切パネルのIV−IV線断面図、図５は間仕切パネルの構造を示す斜視図、図６は係合体を示す分解斜視図、図７は軸支持部材を示す斜視図、図８は係合用パネルジョイントを示す斜視図、図９は支持用パネルジョイントを示す斜視図である。
【００１０】
本発明の間仕切パネルの連結構造を適用した間仕切壁１は、図１乃至４に示すように、複数の間仕切パネル２、２・・をパネル側面２１を対向させるように並設し、隣接する間仕切パネル２，２を係合用パネルジョイント３及び支持用パネルジョイント４を介して回動自在に連結してあり、室内空間（図示せず）を適宜形状に間仕切ることができる。
【００１１】
間仕切パネル２は、間仕切りを行う室内空間の空間容積などを考慮して所定の幅及び高さに形成した適宜厚さの板状体であって、図５に示すように、表面板５、５の幅方向両側から側枠材６、６を装着して形成してある。
【００１２】
表面板５は、図５に示すように、合成樹脂、木材又は金属等からなる適宜厚さを有する板状体であって、両側端には側枠材６との係合段部５１を形成してある。
【００１３】
側枠材６は、図５に示すように、合成樹脂、木材又は金属等からなり、間仕切パネル２の板厚の略１／２の半径を有する円弧状曲面部６１を有する略Ｕ字状体を呈し、両Ｕ字状先端部には表面板５の係合段部５１と係合する係合段部６２を形成してある。
【００１４】
円弧状曲面部６１の高さ方向には、略Ｕ字状を呈するジョイント配置用切欠部６３，６４，６４を適宜間隔で形成してある。
又、ジョイント配置用切欠部６３の一端部は、側枠材６の先端部まで切り欠き、幅広の開口部６５に形成してある。
【００１５】
係合体７は、図２、３及び６に示すように、間仕切パネル２に嵌装可能な厚みを有し、上側ジョイント配置用切欠部６４から下側ジョイント配置用切欠部６４までの間隔と略同一高さを有し、間仕切パネル２の両側部の側枠材６内部に収納される部材であって、係合板７１と、この係合板７１を幅方向にスライド可能に支持する上側枠体７２及び下側枠体７３と、係合板７１をばね７４を介して保持する固定板７５とからなる。
【００１６】
係合板７１は、後述する係合用パネルジョイント３の係合溝３３乃至３５に係合可能な幅の合成樹脂又は金属からなる板状体であって、幅方向の一側面は係合溝３３乃至３５に合致させた円弧状曲面７１ａに形成してある。
又、厚み方向一側面の中央部には、係合板７１をスライドさせるときに指等を掛ける指掛片７１ｂを突設してある。
【００１７】
上記上側枠体７２及び下側枠体７３は、図２及び３に示すように、高さ方向に重ね合わせて係合板７１を幅方向にスライド可能に支持する合成樹脂又は金属製の枠体であって、図６に示すように、上側枠体７２及び下側枠体７３の厚み方向中央部を凹陥させて係合板７１を案内する係合板案内溝７２ａ、７３ａを形成し、一側面には、上側枠体７２、下側枠体７３を当接、固定した時、係合用パネルジョイント３を嵌装可能な空隙を画成するジョイント嵌装用段部７２ｂ、７３ｂを形成するとともに、中央部には、係合板部７１の指掛片７１ｂを案内する指掛片案内溝７２ｃ、７３ｃを形成してある。
なお、この上側枠体７２と下側枠体７３は、下端面７２ｄ、上端面７３ｄを当接し、接着等の適宜手段で固着させる。
【００１８】
ばね７４，７４は、係合板７１を弾力付勢するための部材であって、一端を係合板７１の基端側面７１ｃの上部及び下部に固着するとともに、他端を固定板７５に固着してある。
又、固定板７５は上側枠体７２及び下側枠体７３の一側面にねじ止め又は接着などの手段によって固着させてある。
【００１９】
上側枠体７２及び下側枠体７３の幅方向他側面には、半円状に膨出させた軸支持部７６ａを有する軸支持部材７６を、軸支持部７６ａを高さ方向に沿わせて固着してあり、この軸支持部７６ａ内周面と上側枠体７２又は下側枠体７３の幅方向他側面によって連結軸９を挿通する連結軸挿通孔７６ｂを形成してある。
【００２０】
このような構成を有する係合体７において、係合板７１は、常にばね７４によって弾力付勢され、ばね７４による弾力に抗する力を付与することによりスライドさせることができる。
【００２１】
軸支持体８は、図２、４、７に示すように、上記係合体７と同様、間仕切パネル２に嵌装可能な厚みを有し、間仕切パネル２の両側部の側枠材６内部に収納される部材であって、直方体状の支持ブロック８１の幅方向一側面に前記軸支持部材７６と同形状の軸支持部材８２を軸支持部８２ａを高さ方向に沿わせて固着してあり、この軸支持部８２ａ内側面と支持ブロック８１の幅方向一側面によって連結軸９を挿通する連結軸挿通孔８２ｂを形成してある。
【００２２】
連結軸９は、合成樹脂又は金属からなり、係合体７の連結軸挿通孔７６ｂ及び軸支持体８の連結軸挿通孔８２ｂに挿通し得る外径を有し、間仕切パネル２の最上部に配設される連結軸挿通孔８２ｂの上端から最下部に配設される連結軸挿通孔８２ｂの下端までの長さと略同一又は若干長い長さを有する。
【００２３】
係合用パネルジョイント３は、合成樹脂又は金属等よりなり、図２、３及び８に示すように、間仕切パネル２の板厚の略２倍の長さＬ及び板厚と略同一の幅Ｗと、側枠材６のジョイント配置用切欠部６３の幅と略同一の厚さＴとを有し、両側部には連結軸９を挿通する連結軸挿通孔３１，３１を形成してある。
又、両側面３２、３２を連結軸挿通孔３１を中心とする幅Ｗの略１／２の半径とした円弧状曲面に形成してあり、両側面３２，３２には、連結軸挿通孔３１，３１を中心として周方向に９０°間隔で前記係合板７１と係合する係合溝３３，３４，３５を形成してある。
【００２４】
支持用パネルジョイント４は、図２、３及び９に示すように、係合用パネルジョイント３と同様、合成樹脂又は金属等からなり、間仕切パネル２の板厚の略２倍の長さＬ及び板厚と略同一の幅Ｗと、側枠材６のジョイント配置用切欠部６４の高さと略同一の厚さＴとを有し、両側部には連結軸９を挿通する連結軸挿通孔４１，４１を形成してあり、両側面４２，４２を連結軸挿通孔４１を中心として厚さの略１／２の半径とした円弧状曲面としてある。
【００２５】
間仕切パネル２を形成するには、図２〜４に示すように、先ず、側枠材６内部に係合体７を、開口部６５に指掛片７１ｂが挿入される向きで、軸支持部７６ａの中心が円弧状曲面部６１の中心と同心に、かつジョイント嵌装用段部７２ｂ、７３ｂにより画成される空隙がジョイント配置用切欠部６３に合致するように接着又はねじ止め等の適宜手段を用いて固着するとともに、軸支持体８、８を係合体７の上下端部からそれぞれジョイント配置用切欠部６４の高さ分だけ間隔を開けて、かつ軸支持部８２ａの中心が円弧状曲面部６１の中心と同心になるように上記同様、接着等の適宜手段で固着する。続いて表面板５、５の両側部の係合段部５１に側枠材６、６の係合段部６２を係合させるとともに、ねじ止め又は接着等の手段を用いて表面板５と側枠材６とを固着する。
ここで、上記側枠材６の開口部６５は、隣接する間仕切パネル２，２において、互いに反対の表面に、すなわち、係合体７の指掛片７１ｂを隣接する間仕切パネル２，２において、互いに反対の表面に位置するように配設してある。
【００２６】
間仕切パネル２を連結するには、先ず、図１〜４に示すように、間仕切パネル２，２の側面２１，２１同士を対向させて並置し、隣接する間仕切パネル２、２の対向するジョイント配置用切欠部６３、６３及び６４、６４によってジョイント配置用空間を画成する。
次に、このジョイント配置用空間にそれぞれ係合用パネルジョイント３及び支持用パネルジョイント４を連結軸挿通孔４１と軸支持部８２ａがそれぞれ同心となるように挿入し、連結軸挿通孔３１、４１、７６ｂ、８２ｂに連結軸９を挿通する。
【００２７】
かかる間仕切パネルの連結構造によれば、図１乃至３に示すように、間仕切パネル２，２は係合用パネルジョイント３及び支持用パネルジョイントを介して回動自在に連結され、隣接する間仕切パネル２，２間の為す角度を９０°毎に０〜３６０°に渡って設定することができる。
すなわち、係合溝３４，３４に係合板７１，７１を係合することにより、間仕切パネル２，２を直線状に設定することができ、ばね７４の付勢弾力に対抗する力で指掛片７１ｂを押圧し、係合板７１を間仕切パネル２内方へスライドさせ、係合溝３４，３４から係合板７１，７１を脱出させ、係合溝３３，３３若しくは３５，３５に係合板７１，７１を係合することにより、隣接する間仕切パネル２、２間の為す角度を適宜設定することができ、間仕切パネル２，２のパネル表面２２，２２同士を当接させて折り畳むこともできる。
【００２８】
このような間仕切パネルの連結構造を有する間仕切り壁１は、図示はしないが、例えば室内空間壁面に沿ってスライド自在に形成した収納ボックス内に間仕切り壁１を収納して間仕切りユニットを形成すれば、間仕切りを行わない場合には間仕切壁１を折り畳んで収納ボックス内に収納しておくことができ、かつ収納ボックスを室内空間の隅部に位置させておくことができるので、室内空間の美観を損なうことがない。
また、間仕切りを行う場合には、間仕切りを行う場所まで収納ボックスを壁面に沿ってスライドさせ、収納ボックスから間仕切パネル２，２，・・・を取り出して直線状に間仕切壁１を形成する、又、間仕切パネル２，２，・・・を矩形状に折曲させて間仕切壁１を形成することもでき、適宜形状で室内空間の間仕切りを行うことができる。
【００２９】
なお、上記実施例においては、係合板７１の指掛片７１ｂは、隣接する間仕切パネル２，２において、互いに反対側面に位置するように形成したが、本発明はこれに限定されるものでなく、同一側面に位置するように形成してもよい。又、指掛片７１ｂは、係合板７１の両側面に形成してもよい。
【００３０】
また、上記実施例において、係合板７１の付勢には、ばね７４を用いたが、本発明はこれに限定されるものでなく、図示はしないが、その他従来公知の保持機構を用いることもできる。
【００３１】
更に、本実施例においては、隣接する間仕切パネル２，２を上部及び下部に配設した２個の係合用パネルジョイント３及びこれらパネルジョイント３の上下両側に配設した４個の支持用パネルジョイント４によって連結してあるが、本発明はこれに限定されるものでなく、適宜個数の係合用パネルジョイント３乃至支持用パネルジョイント４を使用して、適宜個所において連結させればよい。
【図面の簡単な説明】
【図１】本発明の間仕切パネルの連結構造を適用した間仕切壁の側面図である。
【図２】本発明の間仕切パネルの連結構造を示す側面図である。
【図３】図２の間仕切りパネルの連結構造のIII−III線断面図である。
【図４】図２の間仕切りパネルの連結構造のIV−IV線断面図である。
【図５】間仕切パネルの構造を示す斜視図である。
【図６】係合体を示す分解斜視図である。
【図７】軸支持部材を示す斜視図である。
【図８】係合用パネルジョイントを示す斜視図である。
【図９】支持用パネルジョイントを示す斜視図である。
【図１０】従来の間仕切壁の（Ａ）は使用状態を示す斜視図、（Ｂ）は間仕切パネルの連結構造を示す断面図である。
【符号の説明】
２          間仕切パネル
３          係合用パネルジョイント
３１        連結軸挿通孔
３３、３４、３５    係合溝
４          軸支持用パネルジョイント
５          表面板
６          側枠材
６３、６４  ジョイント配置用切欠部
７          係合体
７１        係合板
７４        ばね
８          軸支持体
９          連結軸
【図１】
0003718378.tif 000002
【図２】
0003718378.tif 000003
【図３】
0003718378.tif 000004
【図４】
0003718378.tif 000005
【図５】
0003718378.tif 000006
【図６】
0003718378.tif 000007
【図７】
0003718378.tif 000008
【図８】
0003718378.tif 000009
【図９】
0003718378.tif 000010
【図１０】
0003718378.tif 000011